(57)【特許請求の範囲】
【請求項１】
下記の構成要件（Ａ01）〜（Ａ03）を備えたことを特徴とする画像形成装置、
（Ａ01）記録シートのシート幅方向に延び、前記記録シート上の未定着トナー像を定着するフラッシュランプを有するフラッシュ定着装置、
（Ａ02）シート幅方向に延びるパネル状のフィルタを収容するフィルタ収容空間を有するフィルタ収容ケースであって、
前記フラッシュ定着装置で定着時に発生する発煙を吸気する吸気口と、
前記フィルタ収容空間の前記吸気口が配置された位置に対してずれた位置に配置され、前記吸気口から吸気されて前記フィルタを通過した気体を排気する排気口と、
前記フィルタの吸気側端面と前記吸気口との間に形成された吸気側空間と、
前記フィルタの排気側端面と前記排気口との間に形成された排気側空間と、
を有するフィルタ収容ケース、
（Ａ03）前記排気口の気体を排気する排気装置。
【請求項２】
前記排気口は、前記吸気口に対して前記フィルタの長さ方向または前記シート幅方向にずれた位置に配置されていることを特徴とする請求項１記載の画像形成装置。
【請求項３】
下記の構成要件（Ａ04）を備えたことを特徴とする請求項１または２に記載の画像形成装置、
（Ａ04）鉛直方向に設定された前記フィルタ長さ方向に対し、前記フラッシュ定着装置に対して上方に配置された前記吸気口と、前記吸気口に対して下方に配置された前記排気口。
【請求項４】
下記の構成要件（Ａ05），（Ａ06）を備えたことを特徴とする請求項１ないし３のいずれかに記載の画像形成装置、
（Ａ05）前記シート幅方向に沿って複数設けられた排気口、
（Ａ06）前記複数の排気口の位置に配置された複数の前記排気装置。
【請求項５】
下記の構成要件（Ａ07）を備えたことを特徴とする請求項１ないし４のいずれかに記載の画像形成装置、
（Ａ07）前記シート幅方向に沿って延びる前記吸気口。
【発明の詳細な説明】
【技術分野】
【０００１】
本発明は、複写機、プリンタ、ＦＡＸあるいはこれらの複数の機能を備えた複合機等の画像形成装置に関し、特に、定着領域を通過する記録シート上の未定着トナーに定着用の光を照射して定着するフラッシュ定着装置を備えた画像形成装置に関する。
【背景技術】
【０００２】
従来のＦＡＸ、プリンタ、複写機等の電子写真方式の画像形成装置では、記録シート上に転写された未定着トナーを定着させる定着装置として、加熱ロールおよび加圧ロールを有し、加圧しながら加熱することにより定着を行う定着装置と、記録シート上に光（フラッシュ）を照射してトナーを溶融して定着を行うフラッシュ定着装置が知られている。
前記フラッシュ定着装置を使用する場合、トナー溶融時に発煙するため、発煙を回収し、脱煙、脱臭するフィルターが必要になる。
【０００３】
前記フラッシュ定着装置で発生した発煙をフィルタで脱煙、脱臭する技術として、以下の従来技術（Ｊ01）が公知である。
（Ｊ01）特許文献１（特開平７−０２８３５５号公報）記載の技術
特許文献１には、シート幅方向に延びるフラッシュランプ（３１）の上方にシート幅方向に延びる中空円筒状のフィルタ（４５）を配置し、フラッシュランプ（３１）の下方の定着領域で発生した発煙を、フラッシュランプ（３１）の側方から上方に延びる排気通路（４２）でフィルタ（４５）に導き、フィルタ（４５）の外周部から中空部（４４）に気体を通過させて脱煙、脱臭し、フィルタ（４５）のシート幅方向一端部に配置されたブロア（４０）により、排気する技術が記載されている。
【０００４】
【特許文献１】特開平７−０２８３５５号公報（「００１４」〜「００１８」、第１図、第２図）
【発明の開示】
【発明が解決しようとする課題】
【０００５】
（従来技術の問題点）
前記従来技術（Ｊ01）では、排気通路（４２）によりフィルタ（４５）に導かれ、シート幅方向一端部に配置されたブロア（４０）により排気しているため、気体のほとんどが、気体の流路長の短い部分、すなわち、フィルタ（４５）の外周面の排気通路（４２）側の部分から中空部（４４）へ通過する。したがって、円筒状のフィルタ（４５）の外周面の一部分のみが優先的に使用され、使用された一部分が著しく汚れて、目詰まり等してしまう。また、煙が、フィルタの目詰まり等して通過できなくなった部分を迂回して通過すると、煙の流路長が長くなり、効率が低下する問題もある。
したがって、前記従来技術（Ｊ01）では、フィルタ（４５）の全域が使用されず、本来の寿命を全うする前に、目詰まり等して性能が低下したフィルタを交換する必要があった。この結果、従来技術（Ｊ01）では、効率が非常に悪く、無駄が多いという問題がある。
【０００６】
本発明は、前述の事情に鑑み、次の記載内容（Ｏ01）を技術的課題とする。
（Ｏ01）フィルタの一部が偏って使用されることを防止すること。
【課題を解決するための手段】
【０００７】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００８】
（第１発明）
前記技術的課題を解決するために、第１発明の画像形成装置は、下記の構成要件（Ａ01）〜（Ａ03）を備えたことを特徴とする。
（Ａ01）記録シート（Ｐ）のシート幅方向に延び、前記記録シート（Ｐ）上の未定着トナー像を定着するフラッシュランプ（Ｆ１）を有するフラッシュ定着装置（Ｆ）、
（Ａ02）シート幅方向に延びるパネル状のフィルタ（４）を収容するフィルタ収容空間（３）を有するフィルタ収容ケース（２）であって、
前記フラッシュ定着装置（Ｆ）で定着時に発生する発煙を吸気する吸気口（２ｂ，２ｂ′）と、
前記フィルタ収容空間（３）の前記吸気口（２ｂ，２ｂ′）が配置された位置に対してずれた位置に配置され、前記吸気口（２ｂ，２ｂ′）から吸気されて前記フィルタ（４）を通過した気体を排気する排気口（２ｄ，２ｄ′）と、
前記フィルタ（４）の吸気側端面と前記吸気口（２ｂ，２ｂ′）との間に形成された吸気側空間（３ａ）と、
前記フィルタ（４）の排気側端面と前記排気口（２ｄ，２ｄ′）との間に形成された排気側空間（３ｂ）と、
を有するフィルタ収容ケース（２）、
（Ａ03）前記排気口（２ｄ，２ｄ′）の気体を排気する排気装置（８）。
【０００９】
（第１発明の作用）
前記構成要件（Ａ01）〜（Ａ03）を備えた第１発明の画像形成装置では、フラッシュ定着装置（Ｆ）のフラッシュランプ（Ｆ１）は、記録シート（Ｐ）のシート幅方向に延び、前記記録シート（Ｐ）上の未定着トナー像を定着する。フィルタ収容ケース（２）のフィルタ収容空間（３）には、シート幅方向に延びるパネル状のフィルタ（４）が収容される。フィルタ収容ケース（２）の吸気口（２ｂ，２ｂ′）から前記フラッシュ定着装置（Ｆ）で定着時に発生する発煙が吸気される。前記吸気口（２ｂ，２ｂ′）から吸気されて前記フィルタ（４）を通過した気体は、前記フィルタ収容空間（３）の前記吸気口（２ｂ，２ｂ′）が配置された位置に対してずれた位置に配置された排気口（２ｄ，２ｄ′）から排気される。前記フィルタ（４）の吸気側端面と前記吸気口（２ｂ，２ｂ′）との間には、吸気側空間（３ａ）が形成されている。前記フィルタ（４）の排気側端面と前記排気口（２ｄ，２ｄ′）との間には、排気側空間（３ｂ）が形成されている。排気装置（８）は、前記排気口（２ｄ，２ｄ′）の気体を排気する。
【００１０】
したがって、第１発明の画像形成装置では、排気口（２ｄ，２ｄ′）がフィルタ収容空間（３）の吸気口（２ｂ，２ｂ′）が配置された位置に対してずれた位置に配置され、且つ、パネル状のフィルタ（４）の吸気口（２ｂ，２ｂ′）側および排気口（２ｄ，２ｄ′）側に吸気側空間（３ａ）および排気側空間（３ｂ）が形成されているので、吸気された気体が吸気側空間（３ａ）、フィルタ（４）および排気側空間（３ｂ）を通過する流路（９）長の差が少なくなる。この結果、流路長の短い部分のみが優先して使用される従来技術に比べ、フィルタ（４）の全域が均一に使用され易くなる。したがって、第１発明の画像形成装置は、フィルタ（４）の一部が偏って使用されることを低減でき、フィルタ（４）の使用効率を高め、本来の寿命を全うさせることができると共に、無駄を少なくすることができる。
【００１１】
（第１発明の形態１）
第１発明の形態１の画像形成装置は、前記第１発明において、
前記排気口（２ｄ，２ｄ′）は、前記吸気口（２ｂ，２ｂ′）に対して前記フィルタ（４）の長さ方向または前記シート幅方向にずれた位置に配置されていることを特徴とする。
（第１発明の形態１の作用）
前記構成要件を備えた第１発明の形態１の画像形成装置では、  前記排気口（２ｄ，２ｄ′）は、前記吸気口（２ｂ，２ｂ′）に対して前記フィルタ（４）の長さ方向または前記シート幅方向にずれた位置に配置されている。従って、吸気した煙がフィルタの長さ方向またはシート幅方向にも動かされ、吸気側空間内で大きく動き、フィルタの一点から集中して汚れていくことをより一層防止することができる。
【００１２】
（第１発明の形態２）
第１発明の形態２の画像形成装置は、前記第１発明または第１発明の形態１において、下記の構成要件（Ａ04）を備えたことを特徴とする。
（Ａ04）鉛直方向に設定された前記フィルタ長さ方向に対し、前記フラッシュ定着装置（Ｆ）に対して上方に配置された前記吸気口（２ｂ，２ｂ′）と、前記吸気口（２ｂ，２ｂ′）に対して下方に配置された前記排気口（２ｄ，２ｄ′）。
（第１発明の形態２の作用）
前記構成要件（Ａ04）を備えた第１発明の形態２では、前記フィルタ長さ方向が鉛直方向に設定されており、前記吸気口（２ｂ，２ｂ′）が前記フラッシュ定着装置（Ｆ）に対して上方に配置されているので、上方に移動しやすい煙を効率的に吸引できる。また、前記排気口（２ｄ，２ｄ′）は、前記吸気口（２ｂ，２ｂ′）に対して下方に配置されており且つ吸気側空間（３ａ）および排気側空間（３ｂ）が設けられているので、吸引した気体がフィルタ（４）の上下方向全域を均一に通過しやすい。したがって、フィルタ（４）が偏って使用されることを低減できる。
【００１３】
（第１発明の形態３）
第１発明の形態３の画像形成装置は、前記第１発明および第１発明の形態１、２のいずれかにおいて、下記の構成要件（Ａ05），（Ａ06）を備えたことを特徴とする。
（Ａ05）前記シート幅方向に沿って複数設けられた排気口（２ｄ）、
（Ａ06）前記複数の排気口（２ｄ）の位置に配置された複数の前記排気装置（８）。
（第１発明の形態３の作用）
前記構成要件（Ａ05），（Ａ06）を備えた第１発明の形態３の画像形成装置では、排気口（２ｄ）は、前記シート幅方向に沿って複数設けられている。前記排気装置（８）は、前記複数の排気口（２ｄ）の位置に複数配置されている。したがって、複数の排気装置（８）により効率的に排気することができる。
【００１４】
（第１発明の形態４）
第１発明の形態４の画像形成装置は、前記第１発明および第１発明の形態１〜３のいずれかにおいて、下記の構成要件（Ａ07）を備えたことを特徴とする。
（Ａ07）前記シート幅方向に沿って延びる前記吸気口（２ｂ）。
（第１発明の形態４の作用）
前記構成要件（Ａ07）を備えた第１発明の形態４の画像形成装置では、前記吸気口（２ｂ）が前記シート幅方向に沿って延びているので、フィルタ（４）のシート幅方向の全域が均一に使用されやすくなる。したがって、フィルタ（４）が偏って使用されることを低減できる。
【発明の効果】
【００１５】
前述の本発明は、下記の効果（Ｅ01），（Ｅ02）を奏する。
（Ｅ01）フィルタの一部が偏って使用されることを防止することができる。
（Ｅ02）フィルタの使用効率を高め、本来の寿命を全うさせることができ、無駄を少なくすることができる。
【発明を実施するための最良の形態】
【００１６】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１７】
図１は本発明の実施例１の画像形成装置の説明図である。
図１において、画像形成装置としての送り孔（スプロケット孔）付き連続用紙（記録シート）Ｐを使用するプリンタＵは、プリンタ支持面ＰＳ上に支持されている。前記プリンタＵの右側上部にＵＩ（ユーザインタフェース）が設けられている。ＵＩ（ユーザインタフェース）には、図示しない電源スイッチ、ディスプレイ、濃度調整スイッチ等が設けられている。前記ＵＩの下側には右端部に図示しない制御ボードを収容するためのボード収容部Ｓが設けられている。
前記ボード収容部Ｓの左側には、ドラム状の感光体ＰＲが回転可能に支持されている。前記感光体ＰＲの上側には転写ロールＴｒが配置されている。前記感光体ＰＲの周囲には、その回転方向に沿って前記転写ロールＴｒ、クリーナＣＬ、帯電器（チャージコロトロン）ＣＣ、現像器Ｄが配置されている。
なお、前記転写ロールＴｒの代わりに転写コロトロンを使用可能であり、前記帯電器（チャージコロトロン）ＣＣの代わりに帯電ロールを使用可能である。
【００１８】
前記感光体ＰＲ、転写ロールＴｒ、クリーナＣＬ、帯電器ＣＣ、現像器Ｄは、前後方向（図１の画面に垂直な方向、Ｘ軸方向）に移動可能な移動台上に支持されている。前記移動台の下方にはＲＯＳ（潜像形成装置）が配置されている。前記ＲＯＳ（潜像形成装置）の下方には電源回路Ｅが配置されている。
回転する前記感光体ＰＲの表面は、帯電器ＣＣにより一様に帯電され、前記帯電された感光体ＰＲ表面は、前記ＲＯＳ（潜像形成装置）から出射されるレーザビームＬにより静電潜像が形成される。前記感光体ＰＲ表面の静電潜像は現像器Ｄによりトナー像に現像される。前記感光体ＰＲ表面のトナー像は、前記転写ロールＴｒに対向する転写領域Ｑ１に搬送される。
【００１９】
前記プリンタＵは、送り孔付き連続用紙Ｐを収容する連続用紙収容部ＴＲ１を有している。前記連続用紙収容部ＴＲ１に収容された送り孔付き連続用紙Ｐは用紙搬送用のトラクタユニット（用紙搬送部材）Ｋ１，Ｋ２，Ｋ３およびガイドロールＲ，Ｒ等により搬送される。転写ロールＴｒは、前記送り孔付き連続用紙Ｐが前記転写領域Ｑ１を通過する際に感光体ＰＲ表面のトナー像を送り孔付き連続用紙Ｐに転写する。
図１において、前記転写領域Ｑ１においてトナー像が転写された送り孔付き連続用紙Ｐは、用紙ガイドＧ１にガイドされて定着領域Ｑ２に搬送される。定着領域Ｑ２には用紙下面をガイドする板状の定着領域用紙ガイドＧ２が配置されている。前記定着領域用紙ガイドＧ２に沿って搬送される送り孔付き連続用紙Ｐ上の未定着トナー像は、フラッシュランプＦ１を使用したフラッシュ定着装置Ｆにより定着用の光を照射されて定着される。
前記定着領域Ｑ２の通過時にフラッシュ定着装置Ｆでトナー像が加熱定着された送り孔付き連続用紙Ｐは、排紙ロールＲｂ，Ｒｂにより下方に搬送され、左右一対の用紙ガイド部材Ｇ３，Ｇ３の間を順次通って、下方の連続用紙スタックトレイ装置ＴＲ２に搬送される。
【００２０】
（フィルタ装置）
図２は実施例１のフィルタ装置の要部拡大説明図である。
図３はフィルタ装置の説明図であり、図３Ａは平面図、図３Ｂは図３Ａの矢印ＩＩＩＢ方向から見た図である。
図１〜図３において、前記フラッシュ定着装置Ｆの左方には、連続用紙Ｐのシート幅方向（前後方向、Ｘ軸方向）に延びるフィルタ装置（フィルタユニット）１が配置されている。前記フィルタ装置１は、プリンタＵのフレームの支持台Ｕ１上に載置されている。前記フィルタ装置１はフィルタ収容ケース２を有する。前記フィルタ収容ケース２のフラッシュ定着装置Ｆ側の上端部には、フラッシュ定着装置Ｆの側に突出する突出部２ａが形成されており、前記突出部２ａの下面にはシート幅方向に延びる２つの吸気口２ｂ（図２，図３Ａ参照）が形成されている。前記フィルタ収容ケース２のフラッシュ定着装置Ｆの反対側の排気側側壁２ｃの下端部には、シート幅方向に沿って離れて配置された２つの排気口２ｄ（図２参照）が形成されている。
【００２１】
図２，図３において、前記フィルタ収容ケース２の内部にはシート幅方向に延びる直方体状のフィルタ収容空間３が形成されている。前記フィルタ収容ケース２の内部にはシート幅方向（Ｘ軸方向、フィルタ幅方向）および上下方向（Ｚ軸方向、フィルタ長さ方向）に延びる平板状（パネル状）のフィルタ４が鉛直に立った状態で配置されており、前記フィルタ４によりフィルタ収容空間３は、吸気口２ｂ側（上流側）の吸気側空間３ａと排気口２ｄ側（下流側）の排気側空間３ｂとに仕切られている。
前記フィルタ４は、内部に脱煙用の濾材および脱臭用の活性炭を有する。実施例１のフィルタ４の吸気口２ｂ側の吸気側端面４ａおよび排気口２ｄ側の排気側端面４ｂは、ともにフィルタ収容ケース２の吸気側側壁２ｅおよび排気側側壁２ｃに接触しておらず、端面４ａ、４ｂ全面が吸気側空間３ａおよび排気側空間３ｂに露出している。
【００２２】
前記フィルタ収容ケース２の上端には、図示しないロック機構によりロックされ内部のフィルタ４を交換する際に開閉されるカバー６が支持されている。前記カバー６の上端面には取っ手７が固定支持されている。したがって、フィルタ装置１全体を交換する場合、プリンタＵのトップカバー（図示せず）を開放した状態で、作業者が取っ手７を把持してフィルタ装置１をプリンタＵから着脱することができる。そして、内部のフィルタ４を交換する際には、カバー６をフィルタ収容ケース２から取り外して、フィルタ４を交換できる。
図２，図３において、前記フィルタ収容ケース２の排気側側壁２ｃには、各排気口２ｄにそれぞれ連通するブロア（排気装置、遠心シロッコファン）８が２つ支持されている。
【００２３】
（実施例１の作用）
前記構成を備えた実施例１のプリンタＵでは、画像形成動作時にブロア８が作動して、図２に示すように気体が吸気口２ｂから吸気され、フィルタ４を通じて排気口２ｄに排気される流路９が形成される。したがって、フラッシュ定着装置Ｆで定着時に発生した発煙は、フィルタ装置１の吸気口２ｂに導かれ、フィルタ４で脱煙、脱臭されてブロア８によりプリンタＵの機外に排気される。
実施例１のプリンタＵでは、前記フィルタ４の吸気口２ｂ側および排気口２ｄ側にそれぞれ、吸気側空間３ａおよび排気側空間３ｂが形成され、吸気口２ｂがフィルタ収容空間３の上側に配置され且つ排気口２ｄがフィルタ収容空間３の下方に配置されている。すなわち、吸気口２ｂと排気口２ｄがフィルタ収容空間３に対して対角の位置に配置されている。したがって、フィルタ収容空間３内の気体は、図２に示すような流路９に沿って移送され、フィルタ収容空間３の上方を通過する流路９も下方を通過する流路９も流路の長さはほぼ等しくなる。したがって、気体（煙）は一方の流路を偏って通過しにくく、フィルタ４の上下方向の全域を通過しやすい。
【００２４】
仮に、吸気側空間３ａが設けられていない場合には、吸気口２ｂから吸気された気体のほとんどがフィルタ４の上端部（吸気口２ｂに近い部分）を通過するため、フィルタ４の上端部のみが偏って使用されてしまう。また、仮に、排気側空間３ｂが設けられていない場合には、ブロア８が配置されているフィルタ４の排気口近傍部分を気体が必ず通過するため、フィルタ４の排気口２ｄ近傍部分（下端部）が偏って使用され、目詰まりが発生しやすくなる。
したがって、実施例１のプリンタＵでは、吸気側空間３ａおよび排気側空間３ｂが設けられているので、図２に示すような流路９に沿って気体が移送され、吸気口２ｂ側や排気口２ｄ側で一部が偏って使用されることを低減できる。この結果、フィルタ４を全体に渡って均一に使用することができ、本来の寿命を全うさせることができる。すなわち、フィルタの一部が偏って使用される従来の構成に比べて寿命を延ばすことができる。また、フィルタ４全体を均一に使用することができるので、ほとんど使用されていない部分が含まれるフィルタを廃棄していた従来の構成に比べ、無駄を少なくすることができる。したがって、寿命を延ばし、無駄を少なくすることができるので、コストを低減することができる。
【００２５】
また、実施例１のプリンタＵでは、フィルタ４の全体が均一に使用され、気体が一部分に偏って流れにくいので、流路面積が広く、気体が流れやすい。したがって、実施例１のプリンタＵでは、大型で排気量の大きなブロア（ＡＣブロア等）を使用する必要が無く、小型のブロア８を使用することができる。この結果、ブロアのコストを低減することができると共に、消費電力を低減できるので省エネルギー化でき、ランニングコストも低減することができる。また、小型のブロアを使用できるので、フィルタ装置１およびプリンタＵを小型化することもできる。
さらに、実施例１のプリンタＵでは、吸気口２ｂがフラッシュ定着装置Ｆの上方に配置されているので、上方に移動しやすい発煙を効率的に吸気し、脱煙、脱臭をすることができる。
【実施例２】
【００２６】
図４は実施例２のフィルタ装置の説明図であり、実施例１の図３Ａにおいてカバーを取り外した状態に対応する図である。
なお、この実施例２の説明において、前記実施例１の構成要素に対応する構成要素には下一桁に同じ符号を付して、その詳細な説明を省略する。
この実施例２は、下記の点で前記実施例１と相違しているが、他の点では前記実施例１と同様に構成されている。
図４において、実施例２のフィルタ装置１′では、吸気口２ｂ′が前端部（シート幅方向一端部）に形成されている。また、排気口２ｄ′は後端部（シート幅方向他端部）、すなわち、フィルタ収容空間３に対して吸気口２ｂ′の対角の位置に１つ形成され、ブロア８は前記排気口２ｄ′に対応して１つ支持されている。
【００２７】
（実施例２の作用）
前記構成を備えた実施例２のプリンタＵでは、フィルタ装置１′の吸気口２ｂ′から吸気された気体は、シート幅方向およびフィルタ長さ方向（鉛直方向）にずれた位置に配置された排気口２ｄ′に排気される。したがって、気体が移送される流路９の長さの差は少なくなる。この結果、実施例２のプリンタＵは実施例１のプリンタと同様の作用、効果を有する。
【００２８】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）本発明は、複写機に限定されず、プリンタ、ＦＡＸ、複合機等の画像形成装置に適用可能である。また、モノクロの画像形成装置に限定されず、カラーの画像形成装置にも適用可能である。
【００２９】
（Ｈ02）前記実施例において、連続用紙Ｐを使用する画像形成装置Ｕを例示したが、これに限定されず、所謂カット紙を使用可能な画像形成装置Ｕに適用することも可能である。
（Ｈ03）前記実施例１において、ブロアを２つ配置したが、１つのみあるいは３つ以上とすることも可能である。また、ブロアとして遠心シロッコファンを例示したが、従来公知の任意の排気装置（送風機、ポンプ、ファン等）を使用可能である。
（Ｈ04）前記実施例１，２において、パネル状のフィルタ４の形状は平板状に限定されず、弧状や波形に湾曲させることも可能である。
（Ｈ05）前記実施例において、吸気口を下方に配置し、排気口を上方に配置することも可能である。
【図面の簡単な説明】
【００３０】
【図１】図１は本発明の実施例１の画像形成装置の説明図である。
【図２】図２は実施例１のフィルタ装置の要部拡大説明図である。
【図３】図３はフィルタ装置の説明図であり、図３Ａは平面図、図３Ｂは図３Ａの矢印ＩＩＩＢ方向から見た図である。
【図４】図４は実施例２のフィルタ装置の説明図であり、実施例１の図３Ａにおいてカバーを取り外した状態に対応する図である。
【符号の説明】
【００３１】
２…フィルタ収容ケース、
２ｂ，２ｂ′…吸気口、
２ｄ，２ｄ′…排気口、
３…フィルタ収容空間、
３ａ…吸気側空間、
３ｂ…排気側空間、
４…フィルタ、
８…排気装置、
Ｆ…フラッシュ定着装置、
Ｆ１…フラッシュランプ、
Ｐ…記録シート。
【図１】
0004687348.tif 000002
【図２】
0004687348.tif 000003
【図３】
0004687348.tif 000004
【図４】
0004687348.tif 000005